(57)【要約】【課題】デジタル放送の受信装置において、従来、チャンネル情報の登録作業に時間がかかるといった課題があった。【解決手段】送信側で、送信サービス範囲を記した地域識別情報を送出し、受信側で、受信可能な周波数領域でチャンネルを順次同調する手段と、同調したチャンネルに受信可能な放送が存在するかを判定する手段と、送出された地域識別情報を抽出する手段と、予め記憶された地域識別情報に対応するチャンネル情報を取り出して登録する手段とを備える。【選択図】  図１
2004222028.tif 000002
【特許請求の範囲】
【請求項１】
放送の送受信において、送信側から送出するデータに送信サービス範囲を記述した地域識別情報を格納するステップと、前記地域識別情報が格納されたデータを受信側に送出するステップを備えたことを特徴とする放送送受信方法。
【請求項２】
前記地域識別情報をＭＰＥＧ２トランスポートストリームに多重することを特徴とする請求項１記載の放送送受信方法。
【請求項３】
放送の送受信において、受信側で、送信側から送出される地域識別情報を含むデータを受信するステップと、前記受信データから地域識別情報を抽出するステップと、前記抽出した地域識別情報に基づいてチャンネル情報の登録を変更するステップを備えることを特徴とする放送送受信方法。
【請求項４】
受信側で、送信側から送出される地域識別情報を含むデータを受信するデータ受信手段と、前記データから地域識別情報を抽出する地域識別情報抽出手段と、予め設定された地域別チャンネル情報を格納する地域別チャンネル情報記憶手段と、チャンネル情報を設定するチャンネル情報設定手段を備えたことを特徴とする受信装置。
【請求項５】
受信側で、送信側から送出される地域識別情報を含むデータを受信するデータ受信手段と、前記データから地域識別情報を抽出する地域識別情報抽出手段と、予め設定された地域別チャンネル情報を格納する地域別チャンネル情報記憶手段と、予め設定された地域間の隣接情報を格納する隣接地域情報記憶手段と、チャンネル情報を設定するチャンネル情報設定手段を備えたことを特徴とする受信装置。
【発明の詳細な説明】
【０００１】
【発明の属する技術分野】
本発明は、デジタルＴＶ放送、デジタル音声放送、デジタルデータ放送の送受信方法およびその受信装置に関する。
【０００２】
【従来の技術】
従来、放送受信装置は、特許文献１に記載されたものが知られている。
【０００３】
従来の放送受信装置では、受信可能チャンネル番号リストおよびサービス情報等のチャンネル情報の受信装置への登録は、１つのチャンネル毎にチャンネルスキャンを実行することで行われている。従来においては、チャンネル情報を取得するためのチャンネルスキャンは、チューナーの受信可能なチャンネル範囲内を順番に、実際に放送の行われていないチャンネルも含めた全てのチャンネルに対して実行される。
【０００４】
【特許文献１】
特開２００２−２１８３３５号公報
【０００５】
【発明が解決しようとする課題】
本発明は、チャンネル情報の登録作業時間の短縮が図れる放送の送受信方法およびその受信装置を提供する事を目的とする。
【０００６】
【課題を解決するための手段】
この課題を解決するために、本発明（請求項１）にかかる放送送受信方法は、送信側から送出するデータに送信サービス範囲を記述した地域識別情報を格納するステップと、前記地域識別情報が格納されたデータを受信側に送出するステップをとを備えたものである。
【０００７】
また本発明（請求項２）は、請求項１に記載の放送送受信方法において、地域識別情報をＭＰＥＧ２トランスポートストリームに多重するものである。
【０００８】
また本発明（請求項３）にかかる放送送受信方法は、受信側で、送信側から送出される地域識別情報を含むデータを受信するステップと、前記受信データから地域識別情報を抽出するステップと、前記抽出した地域識別情報に基づいてチャンネル情報の登録を変更するステップを備えたものである。
【０００９】
また本発明（請求項４）にかかる受信装置は、送信側から送出される地域識別情報を含むデータを受信するデータ受信手段と、前記データから地域識別情報を抽出する地域識別情報抽出手段と、予め設定された地域別チャンネル情報を格納する地域別チャンネル情報記憶手段と、チャンネル情報を設定するチャンネル情報設定手段を備えたものである。
【００１０】
また本発明（請求項５）にかかる受信装置は、送信側から送出される地域識別情報を含むデータを受信するデータ受信手段と、前記データから地域識別情報を抽出する地域識別情報抽出手段と、予め設定された地域別チャンネル情報を格納する地域別チャンネル情報記憶手段と、予め設定された地域間の隣接情報を格納する隣接地域情報記憶手段と、チャンネル情報を設定するチャンネル情報設定手段を備える。
【００１１】
【発明の実施の形態】
以下、本発明の実施の形態について、図１から図６を用いて説明する。
【００１２】
（実施の形態１）
デジタル放送システムにおいて送信側では、まず映像、音声データはＭＰＥＧ２規格に従って符号化及び圧縮が行われ、デジタルのストリームにされる。これに制御データ（ヘッダ）を付加してパケット化され、１パケット＝１８８バイトのトランスポートパケットにされる。このトランスポートパケットには、映像パケットや音声パケットに加えて、受信装置での番組選局や電子番組表に必要な番組配列情報もパケット化されてトランスポートストリームとして多重化される。
本発明では、このトランスポートストリームに地域識別情報を多重する。本発明の地域識別情報は、地理的な送信サービス範囲の情報を含む。受信装置はこの地域識別情報を取り込んで、チャンネル情報の設定を行う。
【００１３】
次に本発明の受信装置の構成および動作を説明する。図１に本発明の受信装置の構成を示す。図１において、１０は電波の受信を行う同調部で、電波を同調して受信する。これはアンテナとチューナーで構成される。１１は復調部であり、デジタル変調されたビットストリームを復調し、その後誤り訂正を行い、トランスポートパッケットを再生するとともに、受信可能な放送の存在を表すロック情報を出力する。
１２は多重分離部分で、映像パケット、音声パケット、番組配列情報、地域識別情報などが多重化されたトランスポートストリームから視聴者が選択した番組や番組配列情報および地域識別情報を含むパケットを抽出するものである。地域識別情報の抽出については、後ほど詳細に説明する。
１３は映像デコード部で、多重分離部１２であり、抽出した圧縮された映像パケットをデコードする。１４は映像提示部で、例えばＣＲＴや液晶ディスプレイなどである。１５は音声デコード部で、多重分離部１２で抽出した圧縮された音声パケットをデコードする。１６は音声提示部で、例えばスピーカなどである。１７は制御部で、本発明の受信装置全体の制御をするものである。
制御部１７の構成を詳細に説明する。図２に制御部１７の内部構成を示す。図２において、１０１はチャンネルスキャン部で、受信可能な周波数領域でチャンネルを順次同調部１０によって同調するものである。１０２はロック判定部で、同調したチャンネルに受信可能な放送が存在するかどうかを判定するものである。１０３は地域識別情報抽出部で、多重分離部１２で抽出した地域識別情報を含むパケットから地域識別情報を抽出するものである。１０４は地域別チャンネル情報記憶部で、地域毎のチャンネル情報を予め格納しておくもので、受信装置の電源を切っても情報が失われないように不揮発性メモリなどで実現されている。１０５はチャンネル情報記憶部で、受信に使用するチャンネル情報を登録するものである。以上のように構成された、本発明の受信装置について、以下具体的な動作を説明する。
同調部１０、復調部１１の動作は上述した通りである。ここでは、多重分離部１２および制御部１７の動作について、詳細に述べる。
送信側で地域識別情報はＰＡＴに多重されて伝送されるものとして説明する。図３に受信装置の処理フローを示す。以下の処理の流れをステップに分けて記す。
ステップ１：    チャンネルスキャン部１０１で受信可能な周波数領域でチャンネルを順次同調する。
ステップ２：    ロック判定部１０２で同調したチャンネルに受信可能な放送が存在するかを判定する。存在しない場合はステップ１に戻る。存在すればステップ３に進む。
ステップ３：    多重分離部１２でＰＡＴを抽出する。
ステップ４：    地域識別情報抽出部１０３でＰＡＴから地域識別情報を抽出する。
ステップ５：    地域別チャンネル情報記憶部１０４から地域識別情報に対応するチャンネル情報を取り出し、チャンネル情報記憶部１０４に登録する。
以上のように、本実施の形態によれば、送信側で、送信サービス範囲を記した地域識別情報をＰＡＴに多重して送出し、受信側で、チャンネルスキャン部１０１で受信可能な周波数領域でチャンネルを順次同調するステップと、ロック判定部１０２で同調したチャンネルに受信可能な放送が存在するかを判定するステップと、多重分離部１２でＰＡＴを抽出するステップと、地域識別情報抽出部１０３でＰＡＴから地域識別情報を抽出するステップと、地域別チャンネル情報記憶部１０４から地域識別情報に対応するチャンネル情報を取り出し、チャンネル情報記憶部１０５に登録するステップとを備えることで、チャンネル情報の登録作業時間の短縮が可能となる。
なお、本実施の形態では地域識別情報をＰＡＴに多重したが、ＰＡＴではなくトランスポートストリームに含まれる番組配列情報に多重してもよいし、ＰＥＳパケットとして多重しても構わないし、ＭＰＥＧでプライベート定義とされている領域に多重しても構わない。
また、本実施の形態では受信可能な放送の存在するチャンネルの決定に、復調部１１が出力するロック情報を使用したが、他の方式でチャンネルを決定しても構わない。
【００１４】
（実施の形態２）
次に本発明の第２の実施の形態について説明する。実施の形態２では地域識別情報の伝達方法は実施の形態１と同一である。送信側については、実施の形態１と同一なので説明は省略する。
【００１５】
受信装置については、構成は実施の形態１と同一なので説明は省略する。以下、実施の形態２における受信装置の動作を説明する。
【００１６】
実施の形態２においても、送信側で地域識別情報はＰＡＴに多重されて伝送されるものとして説明する。図４に受信装置のフローを示す。以下の処理の流れをステップに分けて記す。
ステップ２１：    チャンネルスキャン部１０１で受信可能な周波数領域でチャンネルを順次同調する。
ステップ２２：    ロック判定部１０２で同調したチャンネルに受信可能な放送が存在するかを判定する。存在しない場合はステップ１に戻る。存在すればステップ３に進む。
ステップ２３：    多重分離部１２でＰＡＴを抽出する。
ステップ２４：    地域識別情報抽出部１０３でＰＡＴから地域識別情報を抽出する。ステップ２５：        地域別チャンネル情報記憶部１０４から地域識別情報に対応するチャンネル情報を取り出す。
ステップ２６：    チャンネルスキャン部１０１でチャンネル情報に記載されたチャンネルを順次同調する。
ステップ２７：    ロック判定部１０２で、同調したチャンネルに受信可能な放送が存在するかを判定する。存在しない場合はステップ２６に戻る。存在すればチャンネル情報記憶部１０５に同調しているチャンネルのチャンネル情報を登録する。
以上のように、本実施の形態によれば、送信側で、送信サービス範囲を記述した地域識別情報をＰＡＴに多重して送出し、受信側で、チャンネルスキャン部１０１で受信可能な周波数領域でチャンネルを順次同調するステップと、ロック判定部１０２で同調したチャンネルに受信可能な放送が存在するかを判定するステップと、多重分離部でＰＡＴを抽出するステップと、地域識別情報抽出部１０３でＰＡＴから地域識別情報を抽出するステップと、地域別チャンネル情報記憶部１０４から地域識別情報に対応するチャンネル情報を取り出すステップと、チャンネルスキャン部でチャンネル情報記載のチャンネルを順次同調するステップと、ロック判定部１０２で同調したチャンネルに受信可能な放送が存在するかを判定し、チャンネル情報記憶部１０５に同調しているチャンネルのチャンネル情報を登録するステップとを備えることで、チャンネル情報の登録作業時間の短縮が可能となる。
なお、本実施の形態では地域識別情報をＰＡＴに多重したが、ＰＡＴではなくトランスポートストリームに含まれる番組配列情報に多重してもよいし、ＰＥＳパケットとして多重しても構わないし、ＭＰＥＧでプライベート定義とされている領域に多重しても構わない。
また、本実施の形態では受信可能な放送の存在するチャンネルの決定に、復調部１１が出力するロック情報を使用したが、他の方式でチャンネルを決定しても構わない。
【００１７】
（実施の形態３）
次に本発明の第３の実施の形態について説明する。実施の形態３では地域識別情報の伝送方式は実施の形態１と同一である。送信側については、実施の形態１と同一なので説明は省略する。
【００１８】
受信側については、制御部の構成、動作が異なるので制御部について説明する。図５に実施の形態３の制御部の構成を示す。実施の形態１と同一のものには同一の符号を付けている。３０１は隣接地域情報記憶部で、送信サービス範囲が隣接しあう地域の地域識別情報を格納しておくもので、受信装置の電源を切っても情報が失われないように不揮発性メモリなどで実現しておく。
【００１９】
以下、実施の形態３の動作を説明する。
【００２０】
実施の形態３においても、送信側で地域識別情報はＰＡＴに多重されて伝送されるものとして説明する。図６に受信装置の処理フローを示す。以下の処理の流れをステップに分けて記す。
ステップ３１：    チャンネルスキャン部１０１で受信可能な周波数領域でチャンネルを順次同調する。
ステップ３２：    ロック判定部１０２で同調したチャンネルに受信可能な放送が存在するかを判定する。存在しない場合はステップ１に戻る。存在すればステップ３に進む。
ステップ３３：多重分離部１２でＰＡＴを抽出する。
ステップ３４：    地域識別情報抽出部１０３でＰＡＴから地域識別情報を抽出する。ステップ３５：    地域別チャンネル情報記憶部１０４から、地域識別情報に対応するチャンネル情報を取り出し、チャンネル情報記憶部１０５に登録する。
ステップ３６：    隣接地域情報記憶部３０１から、地域識別情報に記述された送信サービス範囲と隣接する地域識別情報を取り出す。
ステップ３７：    地域別チャンネル情報記憶部１０４から、隣接する地域識別情報に対応するチャンネル情報を取り出し、チャンネル情報記憶部１０４に追加登録する。
以上のように、本実施の形態によれば、送信側で、送信サービス範囲を記した地域識別情報をＰＡＴに多重して送出し、受信側で、チャンネルスキャン部１０１で受信可能な周波数領域でチャンネルを順次同調するステップと、ロック判定部１０２で同調したチャンネルに受信可能な放送が存在するかを判定するステップと、多重分離部１２でＰＡＴを抽出するステップと、地域識別情報抽出部１０３でＰＡＴから地域識別情報を抽出するステップと、地域別チャンネル情報記憶部１０４から地域識別情報に対応するチャンネル情報を取り出し、チャンネル情報記憶部１０５に登録するステップと、隣接地域情報記憶部３０１から隣接する地域識別情報を取り出すステップと、地域別チャンネル情報記憶部１０４から隣接する地域識別情報に対応するチャンネル情報を取り出し、チャンネル情報記憶部１０５に追加登録するステップとを備えることで、チャンネル情報の登録作業時間の短縮が可能となる。
なお、本実施の形態では地域識別情報をＰＡＴに多重したが、ＰＡＴではなくトランスポートストリームに含まれる番組配列情報に多重してもよいし、ＰＥＳパケットとして多重しても構わないし、ＭＰＥＧでプライベート定義とされている領域に多重しても構わない。
また、本実施の形態では受信可能な放送の存在するチャンネルの決定に、復調部１１が出力するロック情報を使用したが、他の方式でチャンネルを決定しても構わない。
さらに、本実施の形態では隣接地域情報記憶部３０１から隣接する地域識別情報をひとつだけ取り出すとしたが、複数の地域識別情報を取り出しても構わない。
【００２１】
【発明の効果】
以上のように、本発明にかかる放送の送受信方法によれば、送信側で、送信サービス範囲を記した地域識別情報をＰＡＴに多重して送出し、受信側で、チャンネルスキャン部で受信可能な周波数領域でチャンネルを順次同調し、ロック判定部で同調したチャンネルに受信可能な放送の存在を判定し、多重分離部でＰＡＴを抽出し、地域識別情報抽出部でＰＡＴから地域識別情報を抽出し、地域別チャンネル情報記憶部から地域識別情報に対応するチャンネル情報を取り出し、チャンネル情報記憶部に登録することで、チャンネル情報の登録作業時間の短縮が可能となる。
【図面の簡単な説明】
【図１】本発明の一実施例の形態による放送受信装置の構成を示す図
【図２】実施の形態１における制御部の構成を示す図
【図３】実施の形態１における放送受信装置の処理の流れを示す図
【図４】実施の形態２における放送受信装置の処理の流れを示す図
【図５】実施の形態３における制御部の構成を示す図
【図６】実施の形態３における放送受信装置の処理の流れを示す図
【符号の説明】
１０  同調部
１１  復調部
１２  多重分離部
１３  映像デコード部
１４  映像提示部
１５  音声デコード部
１６  音声提示部
１７  制御部
１０１  チャンネルスキャン部
１０２  ロック判定部
１０３  地域識別情報抽出部
１０４  地域別チャンネル情報記憶部
１０５  チャンネル情報記憶部
３０１  隣接地域情報記憶部
【図１】
2004222028.tif 000003
【図２】
2004222028.tif 000004
【図３】
2004222028.tif 000005
【図４】
2004222028.tif 000006
【図５】
2004222028.tif 000007
【図６】
2004222028.tif 000008